(57)【特許請求の範囲】
【請求項１】
上部体と下部体とから構成された人形であって、
前記上部体は支持部材を備えており、
前記下部体は第１材料を収納した変形可能な収納体を前記人形の底部側に含んでおり、
前記収納体は、前記上部体の重みが加わった前記支持部材の押し付けによって変形可能であって、
前記支持部材は、前記下部体内に位置し、前記上部体の重みが加わった状態で該収納体へ押し付けられることで該支持部材の少なくとも一部が該収納体に覆われることによって前記上部体を支持可能に構成されている、
人形。
【請求項２】
前記下部体における前記収納体を除く空間には、前記第１材料とは異なる第２材料から成る材料部が含まれており、
前記支持部材は、前記材料部に覆われる、
請求項１に記載の人形。
【請求項３】
前記収納体と前記材料部は互いの少なくとも一部が接するように前記下部体に内包されている、
請求項２に記載の人形。
【請求項４】
前記第１材料を収納した前記収納体の重量は前記材料部の重量よりも大きい、
請求項２または３に記載の人形。
【請求項５】
前記第１材料は前記第２材料よりも硬質の材料から成る、
請求項２〜４のいずれか１項に記載の人形。
【請求項６】
前記第１材料は粒状体群から成る、
請求項２〜５のいずれか１項に記載の人形。
【請求項７】
前記支持部材は少なくとも一部の内側に孔を有している、
請求項６に記載の人形。
【請求項８】
前記支持部材が有する孔は、前記粒状体群の一部が入り込むことが可能に形成される、
請求項７に記載の人形。
【請求項９】
前記支持部材は一端部が前記上部体に取り付けられ、かつ、他端部が前記下部体内部で前記収納体に付いた状態で該収納体の表面上を移動可能に構成されている、
請求項１〜８のいずれか１項に記載の人形。
【請求項１０】
前記支持部材は、前記上部体に取り付けられた第１支持部材と、前記第１支持部材に着脱可能に連結された第２支持部材とから構成されている、
請求項１〜９のいずれか１項に記載の人形。
【請求項１１】
前記上部体は前記支持部材の他に頭部を備えており、前記下部体は胴体部を備えている  請求項１〜１０のいずれか１項に記載の人形。
【請求項１２】
前記胴体部は被覆部を有しており、前記収納体は前記被覆部内に配されている、
請求項１１に記載の人形。
【請求項１３】
前記下部体は前記胴体部の他に上肢部と下肢部を備えている、
請求項１１または１２に記載の人形。
【請求項１４】
前記上部体の重量は前記下部体の重量よりも大きい、
請求項１〜１３のいずれか１項に記載の人形。
【発明の詳細な説明】
【技術分野】
【０００１】
本発明は、玩具に属する人形に関する。
【背景技術】
【０００２】
玩具に属する人形、たとえばアニメーションや漫画や小説等に登場するキャラクターを模した人形は、観賞のために卓上に置けるように構成されているものが多い。一例をあげて説明すれば、頭部と胴体部と２本の上肢部と２本の下肢部を有する人形の場合、２本の上肢部と２本の下肢部は動かせるように胴体部に設けられているため、２本の下肢部を胴体部の前側に動かして胴体部の下面を卓上に配置することによって、卓上に置くことが可能である。
【０００３】
ところで、前掲の人形は、製造上の利便性から、頭部と胴体部とを別々に作製してから頭部を胴体部に取り付ける工程を経て製造される場合が多い（たとえば特許文献１を参照）。しかしながら、このような人形は、頭部を胴体部に取り付ける工程を経て製造されるが故に、卓上に置いたときに頭部が傾いて下を向いてしまう等の姿勢不良を生じ、この姿勢不良によって所期の観賞効果が半減してしまう懸念がある。
【先行技術文献】
【特許文献】
【０００４】
【特許文献１】実開昭６０−１４９６８５号公報
【発明の概要】
【発明が解決しようとする課題】
【０００５】
本発明の課題は、卓上に置いたときに頭部（上部体）が傾いて下を向いてしまう等の姿勢不良を極力防止できる人形を提供することにある。
【課題を解決するための手段】
【０００６】
本発明に係る人形は、上部体と下部体とから構成された人形であって、前記上部体は支持部材を備えており、前記下部体は第１材料部を内包しており、前記支持部材は少なくとも一部を前記第１材料部に覆われることによって前記上部体を支持するように構成されている。また、発明に係る人形は、上部体と下部体とから構成された人形であって、前記上部体は支持部材を備えており、前記下部体は第１材料を収納した変形可能な収納体を前記人形の底部側に含んでおり、前記収納体は、前記上部体の重みが加わった前記支持部材が付くことで変形可能であって、前記支持部材は、前記下部体内に位置し、前記上部体の重みが加わった状態で該収納体に付くことで該支持部材の少なくとも一部が該収納体に覆われることによって前記上部体を支持可能に構成されている。また、発明に係る人形は、上部体と下部体とから構成された人形であって、前記上部体は支持部材を備えており、前記下部体は第１材料を収納した変形可能な収納体を前記人形の底部側に含んでおり、前記収納体は、前記上部体の重みが加わった前記支持部材の押し付けによって変形可能であって、前記支持部材は、前記下部体内に位置し、前記上部体の重みが加わった状態で該収納体へ押し付けられることで該支持部材の少なくとも一部が該収納体に覆われることによって前記上部体を支持可能に構成されている。
【発明の効果】
【０００７】
本発明に係る人形によれば、卓上に置いたときに頭部（上部体）が傾いて下を向いてしまう等の姿勢不良を極力防止することができる。
【図面の簡単な説明】
【０００８】
【図１】図１（Ａ）は本発明を適用した人形を平坦面に置いた状態を示す正面図、図１（Ｂ）は同側面図である。
【図２】図２は図１（Ｂ）のII−II矢視の拡大断面図である。
【図３】図３は図２に示した上部体の分解図である。
【図４】図４（Ａ）〜図４（Ｃ）は図２および図３に示した第２支持部材の変形例を示す断面図である。
【図５】図５は図２に示した支持部材の変形例を示す断面図である。
【発明を実施するための形態】
【０００９】
まず、図１〜図３を用いて、本発明を適用した人形１０の構造について説明する。人形１０は、図１に示した上部体２０と下部体３０とから構成されている。この人形１０は、玩具に属する人形、たとえばアニメーションや漫画や小説等に登場するキャラクターを模した人形である。
【００１０】
上部体２０は、図１に示した頭部２１の他に図２に示した支持部材２２を備えており、支持部材２２は、図２に示した第１支持部材２３と第２支持部材２４を有している。
【００１１】
頭部２１は、外観が球状を成していて、内部は中空である。頭部２１の一部には外形が円形を成す鍔２１ａが一体に設けられており、鍔２１ａの中央位置に横断面が円形の取り付け孔２１ｂが貫通して設けられている。この頭部２１は、好ましくはポリ塩化ビニルやポリウレタン等の合成樹脂から形成されている。
【００１２】
第１支持部材２３は、図３の上から順に、円錐台状の差し込み部２３ａと、環状溝２３ｂと、外形が円形を成す鍔２３ｃと、円柱状の連結部２３ｄを、一体に有している。差し込み部２３ａの最小径は頭部２１の取り付け孔２１ｂの内径よりも小さく、最大径は頭部２１の取り付け孔２１ｂの内径よりも大きい。また、環状溝２３ｂの幅（図３の上下方向寸法）は、頭部２１の取り付け孔２１ｂの長さ（図３の上下方向寸法）と略一致している。さらに、鍔２３ｃの外径は頭部２１の鍔２１ａの外径よりも僅かに小さい。勿論、鍔２３ｃの外径は頭部２１の鍔２１ａの外径と同じでもよいし、僅かに大きくてもよい。すなわち、第１支持部材２３は、差し込み部２３ａを頭部２１の取り付け孔２１ｂに押し込むことによって、頭部２１に取り付けることができる。この第１支持部材２３は、好ましくはＡＢＳ樹脂やポリプロピレン等の合成樹脂から形成されている。
【００１３】
第２支持部材２４は、長さＬの円筒部材２４ａから成り、一端から他端（図３の上端から他端）に向かって、横断面が円形の孔２４ｂを内側に有している。孔２４ｂの内径は第１支持部材２３の連結部２３ｄの外径と略一致している。すなわち、第２支持部材２４は、孔２４ａの一端側を第１支持部材２３の連結部２３ｄに嵌め込むことによって、第１支持部材２３に着脱可能に連結することができる。換言すれば、支持部材２２は、第２支持部材２４を長さＬが異なるものに交換することによってその全長を変えること、つまり、第２支持部材２４の下端部と後記第１材料部２５との位置関係を調整することができる。この第２支持部材２４は、好ましくはＡＢＳ樹脂やポリプロピレン等の合成樹脂から形成されている。
【００１４】
一方、下部体３０は、図１に示した胴体部３１と２本の上肢部３２と２本の下肢部３３を備えており、胴体部３１は、図２に示した被覆部３４と第１材料部３５と第２材料部３６を有している。
【００１５】
胴体部３１の被覆部３４は、全体が袋状を成していて、内部が中空である。被覆部３４の一部（図２の上端中央）には内径の拡大と縮小を可能とした孔３４ａが設けられている。図示を省略したが、孔３４ａは多少大きめに形成されていて、この孔３４の内径を合成ゴム製のリングや紐等によって縮小できるようになっている。この被覆部３４は、好ましくはナイロンやポリエステル等から成る合成繊維を用いた布（織布の他に不織布を含む）から形成されている。勿論、被覆部３４には、合成繊維を用いた布以外に、たとえば綿や麻等から成る植物繊維を用いた布や、羊毛や絹等から成る動物繊維を用いた布等を用いてもよい。
【００１６】
胴体部３１の第１材料部３５は、変形可能な第１材料３５ａと、第１材料３５ａを収納した変形可能な収納体３５ｂを有している。この第１材料部３５は、胴体部３１（下部体３０）の底部側に内包されている。すなわち、第１材料部３５は、被覆部３４内の底部に配されている。第１材料３５ａは、好ましくはＡＢＳ樹脂やポリプロピレン等から成る合成樹脂製のビーズ群（粒状体群）から成る。また、収納体３５ｂは、好ましくはナイロンやポリエステル等から成る合成繊維を用いた布（織布の他に不織布を含む）から形成されている。勿論、第１材料３５ａには、合成樹脂製のビーズ群以外に、たとえばガラスや石や貝等の非合成樹脂製のビーズ群や、砂や粘土等を用いてもよい。また、収納体３５ｂには、合成繊維を用いた布以外に、たとえば綿や麻等から成る植物繊維を用いた布や、羊毛や絹等から成る動物繊維を用いた布等を用いてもよい。なお、収納体３５ｂは第１材料３５ａの散らばりを防止することを目的としたものであるため、収納体３５ｂがなくても第１材料３５ａがさほど散らばらない場合には、収納体３５ｂは必ずしも必要なものではない。
【００１７】
胴体部３１の第２材料部３６は、第１材料部３５の第１材料３５ａよりも軟質の材料（以下、第２材料３６とも言う）から成る。この第２材料部３６は、胴体部３１（下部体３０）における第１材料部３５を除く空間に内包されている。すなわち、第２材料部３５は、被覆部３４内の第１材料部３５の上側に配されている。第２材料３６は、好ましくはポリエステルやポリエチレン等から成る合成繊維を用いた綿から形成されている。勿論、第２材料３６には、合成繊維を用いた綿以外に、たとえば綿や麻等から成る植物繊維を用いた綿や、羊毛や絹等から成る動物繊維を用いた綿等を用いてもよい。また、第２材料部３６の重量を第１材料部３５の重量と比較すると、第２材料部３６の重量は第１材料部３５の重量よりも小さい。
【００１８】
２本の上肢部３２と２本の下肢部３３は、被覆部３４と同様の布を用いて形成した袋状の被覆部（符号省略）に第２材料部３６と同様の綿（図示省略）を詰めることによって作製されている。２本の上肢部３２と２本の下肢部３３は、縫合等の手法によって胴体部３１の被覆部３４に取り付けられている。すなわち、２本の上肢部３２と２本の下肢部３３は任意に動かせるようになっている。
【００１９】
次に、前述の人形１０の構造理解を図るために、図１〜図３を用いて、人形１０の製造方法について説明する。ここで説明する方法はあくまでも一例であって、人形１０の製造方法を制限するものではない。
【００２０】
製造に際しては、図３に示した頭部２１と第１支持部材２３と第２支持部材２４を用意し、頭部２１に第１支持部材２３を取り付けるとともに、第１支持部材２３に第２支持部材２４を連結して、上部体２０を作製する。
【００２１】
また、図２に示した胴体部３１の被覆部３４と第１材料部３５と第２材料部３６を用意し、被覆部３４の孔３４ａを拡大してから、被覆部３４内に第１材料部３５を挿入し、続いて被覆部３４内の第１材料部３５の上に第２材料部３６を挿入して、下部体３０を作製する。なお、図１に示した２本の上肢部３２と２本の下肢部３３は、この段階で被覆部３４に取り付けてもよいし、最後に被覆部３４に取り付けてもよい。
【００２２】
そして、上部体２０の支持部材２２（第１支持部材２３および第２支持部材２４）を、
被覆部３４の孔３４ａを通じて胴体部３１内に挿入して、第２支持部材２４の下端部を第
第１材料部３５に押し付ける。この押し付けによって、第１材料部３５が変形して第２支
持部材２４の下端部が第１材料部３５に潜り込み、第２支持部材２４の下端部が第１材料
部３５によって覆われるともに、第２支持部材２４の孔２４ｂの下端部に第１材料部３５
の一部が入り込む（図２を参照）。
【００２３】
そして、胴体部３１の被覆部３４の孔３４ａを縮小して、上部体２０における頭部２１の鍔２１ａ以下の部分を被覆部３４によって覆い隠す。以上で、前述の人形１０が完成する。なお、上部体２０の支持部材２２を胴体部３１内に挿入するときに第２材料部３６が挿入の妨げになる場合には、適当な工具を用いて第２材料部３６の中央に柱状隙間を形成して、この柱状隙間に支持部材２２を挿入するとよい。
【００２４】
次に、図１および図２を用いて、前述の人形１０を卓上に置く方法を効果を交えて説明する。
【００２５】
人形１０を卓上、詳しくは図１に示した平坦面ＦＳに置くときには、従前と同様に、下部体３０の２本の下肢部３３を胴体部３１の前側に動かし、上部体２０の頭部２１および下部体３０の胴体部３１が直立するように胴体部３１の下面を平坦面ＦＳに配置する。このとき、図２に示すように、第２支持部材２４の下端部が第１材料部３５に潜り込み、第２支持部材２４の下端部が第１材料部３５によって覆われる。これにより、支持部材２２（第１支持部材２３と第２支持部材２４）が第１材料部３５に支えられ、それに伴い、第１材料部３５に支持された支持部材２２によって上部体２０（頭部２１）が支えられることになる。したがって、卓上に置いたときに上部体２０（頭部２１）が傾いて下を向いてしまう等の姿勢不良を防止・抑制することができる。
【００２６】
さらに、第２支持部材２４は、孔２４ｂの下端部に第１材料部３５の一部が入り込むことで、第１材料部３５によって覆われる表面積がより大きくなる。これにより、支持部材２２（第１支持部材２３と第２支持部材２４）が第１材料部３５により安定的に支えられ、それに伴い、第１材料部３５に支持された支持部材２２によって上部体２０（頭部２１）がより確実に支えられることになる。したがって、卓上に置いたときに上部体２０（頭部２１）が傾いて下を向いてしまう等の姿勢不良をより確実に防止・抑制することができる。
【００２７】
また、胴体部３１の底部側に設けられた第１材料部３５の重量が、胴体部３１の頭部２１側に設けられた第２材料部３６の重量よりも重い場合には、胴体部３１の底面（下面）は平坦面ＦＳにより安定した状態で配置される。これにより、胴体部３１の底部側に配置された第１材料部３５により支えられる支持部材２２（第１支持部材２３と第２支持部材２４）がより安定的に支えられ、それに伴い、第１材料部３５に支持された支持部材２２によって上部体２０（頭部２１）がより確実に支えられることになる。したがって、卓上に置いたときに上部体２０（頭部２１）が傾いて下を向いてしまう等の姿勢不良をより確実に防止・抑制することができる。また、第２材料部３６の重量を第１材料部３５の重量と同じにした場合と比較して、人形１０全体の総重量を軽くすることができるので、持ち運びの際等、取扱い易い人形を提供することが可能となる。
【００２８】
また、図１のように上部体２０（頭部２１）が胴体部３１の上側になるように胴体部３１の下面を平坦面ＦＳに配置することにより、支持部材２２に上部体２０（頭部２１）の重みが加わり、第２支持部材２４の下端部が変形した第１材料部３５にさらに押し付けられる。
【００２９】
このさらなる押し付けによって、第１材料部３５の変形が増して第２支持部材２４の下端部が第１材料部３５により深く潜り込み、第２支持部材２４の下端部が第１材料部３５によってより広く覆われるとともに、第２支持部材２４が有する孔２４ｂの下端部に第１材料部３５の一部が多く入り込む。すなわち、胴体部３１に内包されている第１材料部３５によって支持部材２２（第１支持部材２３と第２支持部材２４）が確実に支えられ、かつ、この支持部材２２によって上部体２０（頭部２１）がより確実に支えられることになる。したがって、卓上に置いたときに上部体２０（頭部２１）が傾いて下を向いてしまう等の姿勢不良をより確実に防止・抑制することができる。
【００３０】
上部体２０の重量が大きい場合、特に、上部体２０の重量が下部体３０の重量よりも大きい場合でも、人形１０を卓上に置いたときに頭部２１（上部体２０）が傾いて下を向いてしまう等の姿勢不良が生じにくいため、この姿勢不良を極力防止して所期の観賞効果を十分に得ることができる。
【００３１】
また、第２支持部材２４の下端部が第１材料部３５に潜り込む位置は、適宜変更することが可能である。第２支持部材２４の下端部が第１材料部３５に潜り込む位置を変えることにより、支持部材２２（第２支持部材２４）の下部体３０内での向きが変わる。したがって、支持部材２２によって支えられる上部体２０（頭部２１）の向きを変更することが可能となる。これにより、人形１０を卓上に置く際のポーズに多様性を与えることができ、人形の興趣性を増すことが可能となる。
【００３２】
以上の実施例において、第２支持部材２４は、円筒部材２４ａから成り、第２支持部材２４が有する孔２４ｂは、横断面が円形として記載しているが、部材は円筒部材に限定されるものではなく、また、孔２４ｂの横断面は円形に限定されるものでもない。前述の発明の効果を奏し得る形状であれば、例えば多角形等、適宜変更可能であることは言うまでもない。
【００３３】
次に、図４および図５を用いて、前記第２支持部材２４と前記支持部材２２の変形例について説明する。
【００３４】
（ａ１）図４（Ａ）に示した第２支持部材２４-1は、円筒部材２４ａの下端部に先細り部２４ｃを設けた点で、前記第２支持部材２４と相違する。このような第２支持部材２４-1を前記第２支持部材２４の代わりに用いれば、第２支持部材２４-1の厚さが大きい場合でも、第２支持部材２４-1の下端部を第１材料部３５に押し付けたときの第１材料部３５の変形、換言すれば第２支持部材２４-1の下端部の第１材料部３５への潜り込みを効果的に行うことができる。
【００３５】
（ａ２）図４（Ｂ）に示した第２支持部材２４-2は、円筒部分２４ｄの下に円錐台筒部分２４ｅを連続して有する形態とした点で、前記第２支持部材２４と相違する。円筒部分２４ｄの内側には、前記第１支持部材２３を連結するために前記第２支持部材２４の孔２４ａと同じ内径の孔２４ｆが設けられている。また、円錐台筒部分２４ｅの内側には、円錐台状の孔２４ｇが孔２４ｆと連続して設けられている。このような第２支持部材２４-2を前記第２支持部材２４の代わりに用いれば、第２支持部材２４-2の下端部を第１材料部３５に押し付けたときに孔２４ｇに入り込む第１材料部３５の一部の量を増加させて、第１材料部３５による支持部材２２（第１支持部材２３と第２支持部材２４-2）の支持をより確実に行うことができる。
【００３６】
（ａ３）図４（Ｃ）に示した第２支持部材２４-3は、円筒部材２４ａに代えて円柱部材２４ｈを用いた点で、前記第２支持部材２４と相違する。円柱部材２４の上部内側には、前記第１支持部材２３を連結するために前記第２支持部材２４の孔２４ａと同じ内径の孔２４ｉが設けられている。このような第２支持部材２４-3を前記第２支持部材２４の代わりに用いても、第２支持部材２４-3の下端部を第１支持部材２３に押し付けたときに第１材料部３５を変形させて、第２支持部材２４-3の下端部を第１材料部３５によって覆うことは可能である。この第２支持部材２４-3は、前記第２支持部材２４のような孔２４ａを有しないため、第１材料部３５として変形しやすいものを使用したときに有効である。
【００３７】
（ａ４）図５に示した支持部材２５は、前記第１支持部材２３と前記第２支持部材２４とを１部品化した点で、前記支持部材２２と相違する。支持部材２５は、図５の上から順に、円錐台状の差し込み部２５ａと、環状溝２５ｂと、外形が円形を成す鍔２５ｃと、円柱部分２５ｄと、横断面が円形の孔２５ｅを、一体に有している。差し込み部２５ａと環状溝２５ｂと鍔２５ｃの形態は、前記第１支持部材２３の差し込み部２３ａと環状溝２３ｂと鍔２３ｃの形態と同じである。また、円柱部分２５ｄの外径および長さと孔２５ｅの内径は、前記第２支持部材２４の円筒部材２４ａの外径および長さと孔２４ｂの内径と同じである。このような支持部材２５を前記支持部材２２の代わりに用いれば、上部体２０の部品数を減らしてその作製作業を省力化することができる。
以上の変形例において、支持部材２５は、その一部が円柱部分２５ｄから成り、支持部材２５が有する孔２５ｅは、横断面が円形として記載しているが、その一部は円柱部分に限定されるものではなく、また、孔２５ｅの横断面は円形に限定されるものでもない。前述の発明の効果を奏し得る形状であれば、例えば多角形等、適宜変更可能であることは言うまでもない。
【００３８】
次に、前述の人形１０に係る他の変形例について説明する。
【００３９】
（ｂ１）前述の人形１０に関し、下部体３０として胴体部３１と２本の上肢部３２と２本の下肢部３３を備えたものを示したが、必要に応じて２本の上肢部３２と２本の下肢部３３の少なくとも一方を排除してもよい。すなわち、２本の上肢部３２に対応する絵柄を胴体部３１の表面に付すことによってこれらを排除してもよいし、２本の下肢部３３に対応する絵柄を胴体部３１の表面に付すことによってこれらを排除してもよいし、両者に対応する絵柄を胴体部３１の表面に付すことによってこれらを排除してもよい。勿論、摸作対象が２本の上肢部と２本の下肢部の少なくとも一方を有しない場合は、前記のような絵柄を付すことは不要である。
【００４０】
（ｂ１）前述の人形１０に関し、上部体２０および下部体３０として頭部２１や胴体部３１等の表面に絵柄がないものを示したが、摸作対象に似せた目や鼻や口等の絵柄を頭部２１の表面に付してもよいし、胴体部３１等の被覆部を摸作対象の衣装に似せるようにしてもよい。また、摸作対象が固有のアイテムを有する場合には、頭部２１や胴体部３１等の表面にこれに対応する摸作品を取り付けてもよい。
【符号の説明】
【００４１】
１０…人形、２０…上部体、２１…頭部、２２…支持部材、２３…第１支持部材、２４…第２支持部材、２４-1，２４-2，２４-3…第２支持部材、２５…支持部材、３０…下部体、３１…胴体部、３２…上肢部、３３…下肢部、３４…被覆部、３５…第１材料部、３５ａ…第１材料、３５ｂ…収納体、３６…第２材料部（第２材料）。
【図１】
0006989247.tif 000002
【図２】
0006989247.tif 000003
【図３】
0006989247.tif 000004
【図４】
0006989247.tif 000005
【図５】
0006989247.tif 000006